(57)【要約】【課題】  電柱、腕金、及び電柱と腕金との境界部を覆うように取り付け作業を容易に、短時間で行うことが可能な絶縁シートを提供する。【解決手段】  電柱を覆うための長方形状の主シート部２６と、シート部２６に設けられるとともに、シート部２６を電柱に取り付けられる固定具に取り付けるための取付部材２０と、主シート部２６の各長辺２６ａ、２６ｂの外側に各長辺２６ａ、２６ｂに沿うようにそれぞれ設けられるとともに、一方の長辺３０ａ、３１ａの一部が主シート部の各長辺２６ａ、２６ｂにそれぞれ接合される、主シート部２６よりも全長が短い長方形状の腕金を覆うための副シート部２８、２９と、主シート部２６の各長辺２６ａ、２６ｂの内側に各長辺２６ａ、２６ｂに沿うようにそれぞれ設けられるとともに、一方の短辺３０ｃ、３１ｃ側の部分が主シート部２６に接合される、副シート部２８、２９よりも全長が短い長方形状の電柱と腕金との境界部を覆うための補助シート部３０、３１とを備えている。【選択図】        図１
2015015858.tif 000002
【特許請求の範囲】
【請求項１】
電柱及び腕金を覆うように取り付けられるシート状の絶縁シートであって、
前記電柱を覆うための長方形状の主シート部と、
該シート部に設けられるとともに、該シート部を前記電柱に取り付けられる固定具に取り付けるための取付部材と、
前記主シート部の各長辺の外側に各長辺に沿うようにそれぞれ設けられるとともに、一方の長辺の一部が前記主シート部の各長辺にそれぞれ接合される、前記主シート部よりも全長が短い長方形状の前記腕金を覆うための副シート部と、
前記主シート部の各長辺の内側に各長辺に沿うようにそれぞれ設けられるとともに、一方の短辺側の部分が前記主シート部に接合される、前記副シート部よりも全長が短い長方形状の前記電柱と前記腕金との境界部を覆うための補助シート部とを備えていることを特徴とする絶縁シート。
【請求項２】
前記取付部材は、面ファスナーであることを特徴とする請求項１に記載の絶縁シート。
【請求項３】
前記主シート部は、短辺方向に丸められた状態で前記電柱の前面側及び両側面側を覆い、前記副シート部は、長辺方向に丸められた状態で前記腕金の周囲を覆い、前記補助シート部は、前記主シート部の長辺と直交する方向に折り曲げられた状態で前記電柱と前記腕金との境界部を覆うように構成されていることを特徴とする請求項１又は２に記載の絶縁シート。
【請求項４】
前記副シート部の各短辺に沿う部分には、前記副シートの各短辺間を相互に接合するための面ファスナーがそれぞれ設けられていることを特徴とする請求項１〜３の何れか１項に記載の絶縁シート。
【請求項５】
前記固定具は、開閉可能に設けられる一対のアームと、前記両アームを開閉可能に支持する支持部材と、前記両アームを閉じる方向に常時付勢する付勢部材と、前記支持部材に設けられるとともに、間接活線工具で把持可能な把持部とを備え、
前記両アームの外面側に前記絶縁シートの主シート部が前記取付部材を介して取り付けられることを特徴とする請求項１〜４の何れか１項に記載の絶縁シート。
【発明の詳細な説明】
【技術分野】
【０００１】
本発明は、絶縁シートに関し、特に、架空配電線において、間接活線工法により各種の作業を行う場合に、電柱、腕金等の絶縁対象物を覆うように取り付ける絶縁シートに関する。
【背景技術】
【０００２】
従来、架空配電線において、間接活線工法により各種の作業を行う場合、縁線や作業者が誤って他物と接触して、地絡、短絡、感電等の不測の事故が起きるのを防止するため、電柱、腕金、配電線等の絶縁対象物を覆うように絶縁シートを取り付け、固定クリップ等の固定具で絶縁シートを絶縁対象物を覆った状態に固定することが行われている。
【０００３】
例えば、特許文献１に記載のように、長方形状の絶縁シートを用い、この絶縁シートを電柱、腕金等の絶縁対象物に巻き付け、絶縁ヤットコ等の間接活線工具を用いて、絶縁シートの外側に洗濯バサミ状の固定クリップを取り付けることにより、絶縁シートを絶縁対象物を覆った状態に固定している。
【０００４】
しかし、特許文献１に記載の技術では、絶縁対象物を絶縁シートで覆う作業、及び絶縁シートを絶縁対象物に固定する作業を個別に行う必要があり、それらの作業に時間と手間がかかる。また、電柱と腕金の両方を絶縁するためには、複数枚の絶縁シートを用いて、電柱、腕金、及び両者の境界部を覆う必要があり、その作業に時間と手間がかかる。
【０００５】
一方、上記のような問題に対処するために、特許文献２に記載の技術を適用することが考えられる。特許文献２に記載の技術は、略矩形形状の絶縁シートを用い、この絶縁シートで絶縁対象物の電柱、腕金、及び電柱と腕金との境界部を覆うように構成したものである。
【０００６】
この場合、絶縁シートの下半分は、２つの切れ目によって両側の下側腕金貼着部と、中央の下側中央部の３片に分割され、上半分は、両側の上側腕金貼着部と、中央の電柱側貼着部とによって構成され、中央の電柱側貼着部は、２つの切れ目によって３片に分割されている。
【０００７】
上半分の電柱側貼着部の各片の裏面側には、面ファスナーのループ又はフックからなる帯状の第１部材が貼着され、両側の上側腕金貼着部の裏面側には、面ファスナーのループ又はフックからなる帯状の第１部材が貼着され、下半分の両側の下側腕金貼着部の裏面側には、面ファスナーのフック又はループからなる帯状の第２部材が貼着されている。
【０００８】
上記のような構成の絶縁シートは、矩形板状に形成された固定具の外面側に貼着された面ファスナーのフック又はループからなる帯状の第２部材と、絶縁シートの上半分の電柱側貼着部の裏面側の面ファスナーの第１部材とを相互に噛み合い係合させることにより、固定具の外面側に吊り下げられた状態に取り付けられる。
【０００９】
また、固定具を電柱に取り付けることにより、固定具に吊り下げられた絶縁シートの下側中央部によって電柱の前面側の部分を覆うことができる。また、絶縁シートの各上側腕金貼着部と各下側腕金貼着部との間で各腕金を挟み、各上側腕金貼着部の裏面側の面ファスナーの第１部材と各下側腕金貼着部の裏面側の面ファスナーの第２部材とを相互に噛み合い係合させることにより、各腕金の周囲を覆うことができる。
【００１０】
従って、特許文献２に記載の技術を用いることにより、特許文献１に記載の技術のように、電柱と腕金の両方を絶縁シートで覆う場合に、複数の絶縁シートを用いる必要はなく、また、絶縁シートの外側に固定クリップを取り付ける必要がなく、絶縁シートで電柱、腕金等の絶縁対象物を覆う作業を容易に、短時間で行うことができる。
【００１１】
しかし、特許文献２に記載の絶縁シートは、下側中央部が固定具の外面から下方に垂れ下がった状態で電柱の前面側を覆っているだけで、電柱の両側面側にまで下側中央部が延出されていないため、風等によって下側中央部が電柱の前面側から捲れ上がってしまうことあり、電柱の前面側を確実に覆うことができない。
【００１２】
また、固定具の構造上、絶縁ヤットコ等の間接活線工具を電柱の側方から操作して、固定具を電柱に取り付ける必要があるため、電柱の側方から固定具を電柱に取り付ける作業と、電柱の前面側から絶縁シートを腕金等に巻き付ける作業とを２方向から個別に行う必要があり、絶縁シートを絶縁対象物に取り付け、絶縁対象物を覆った状態に固定する作業を効率良く行うことができない。
【先行技術文献】
【特許文献】
【００１３】
【特許文献１】特開平９−１９１５１８号公報
【特許文献２】特開２００８−２９０５６号公報
【発明の概要】
【発明が解決しようとする課題】
【００１４】
本発明は、上記のような従来の問題に鑑みなされたものであって、電柱、腕金等の絶縁対象物を確実に絶縁することができるとともに、電柱、腕金等の絶縁対象物を覆う作業を効率良く行うことができる絶縁シートを提供することを目的とする。
【課題を解決するための手段】
【００１５】
上記のような課題を解決するために、本発明は、以下のような手段を採用している。
すなわち、本発明は、電柱及び腕金を覆うように取り付けられるシート状の絶縁シートであって、前記電柱を覆うための長方形状の主シート部と、該シート部に設けられるとともに、該シート部を前記電柱に取り付けられる固定具に取り付けるための取付部材と、前記主シート部の各長辺の外側に各長辺に沿うようにそれぞれ設けられるとともに、一方の長辺の一部が前記主シート部の各長辺にそれぞれ接合される、前記主シート部よりも全長が短い長方形状の前記腕金を覆うための副シート部と、前記主シート部の各長辺の内側に各長辺に沿うようにそれぞれ設けられるとともに、一方の短辺側の部分が前記主シート部に接合される、前記副シート部よりも全長が短い長方形状の前記電柱と前記腕金との境界部を覆うための補助シート部とを備えていることを特徴とする。
【００１６】
本発明の絶縁シートによれば、電柱を覆う主シート部と、腕金を覆う副シート部と、電柱と腕金との境界部を覆う補助シート部とが一体に形成されているので、電柱、腕金、及び電柱と腕金との境界部をそれぞれ個別の絶縁シートで覆う必要がなくなり、電柱、腕金、及び電柱と腕金との境界部を覆う作業を容易に、短時間で行うことができる。また、主シート部が固定具に取付部材によって取り付けられていることにより、電柱に固定具を取り付けることにより、固定具を介して絶縁シートの主シート部を電柱に取り付けることができ、絶縁シートを電柱及び腕金へ取り付け、絶縁シートを電柱及び腕金を覆った状態に固定する作業を効率良く行うことができる。また、主シート部の幅、長さ、副シート部の幅、長さ、補助シート部の幅、長さを適宜の寸法に設定することにより、寸法の異なる各種の電柱及び腕金を覆って絶縁する作業に対応することができる。
【００１７】
また、本発明において、前記取付部材は、面ファスナーであることとしてもよい。
【００１８】
本発明の絶縁シートによれば、固定具に取付部材としての面ファスナーを介して主シート部を容易に着脱させることができる。
【００１９】
また、本発明において、前記主シート部は、短辺方向に丸められた状態で前記電柱の前面側及び両側面側を覆い、前記副シート部は、長辺方向に丸められた状態で前記腕金の周囲を覆い、前記補助シート部は、前記主シート部の長辺と直交する方向に折り曲げられた状態で前記電柱と前記腕金との境界部を覆うように構成されていることとしてもよい。
【００２０】
本発明の絶縁シートによれば、長方形状の主シート部を短辺方向に丸めることにより、主シート部で電柱の前面側を覆うことができ、副シート部を長辺方向に丸めることにより、副シート部で腕金の周囲を覆うことができ、補助シート部を主シート部の長辺に対して直交する方向に折り曲げることにより、補助シートで電柱と腕金との境界部を覆うことができる。
【００２１】
また、本発明において、前記副シート部の各短辺に沿う部分には、前記副シートの各短辺間を相互に接合するための面ファスナーがそれぞれ設けられていることとしてもよい。
【００２２】
本発明の絶縁シートによれば、副シート部の両端面の面ファスナを相互に接合させることにより、副シート部が腕金を覆った状態に固定されることになり、腕金を覆う作業を容易に行うことができる。
【００２３】
また、本発明において、前記固定具は、開閉可能に設けられる一対のアームと、前記両アームを開閉可能に支持する支持部材と、前記両アームを閉じる方向に常時付勢する付勢部材と、前記支持部材に設けられるとともに、間接活線工具で把持可能な把持部とを備え、前記両アームの外面側に前記絶縁シートの主シート部が前記取付部材を介して取り付けられることを特徴とする。
【００２４】
本発明の絶縁シートによれば、固定具の両アームの外面側に取付部材を介して絶縁シートを取り付け、固定具の把持部を間接活線工具で把持し、間接活線工具を操作して、両アームの他端部間に電柱を押し付け、両アームの他端部間を押し広げて、両アーム間に電柱を押し込むことにより、固定具が両アームで電柱を挟んだ状態に取り付けられ、固定具を介して絶縁シートが電柱に取り付けられることになる。従って、固定具を電柱に取り付ける作業と、固定具で絶縁シートを固定する作業とを同時に行うことができるので、絶縁シートを電柱及び腕金に取り付ける作業を容易に短時間で効率よく行うことができる。
【発明の効果】
【００２５】
以上、説明したように、本発明の絶縁シートによれば、電柱を覆う主シート部と、腕金を覆う副シート部と、電柱と腕金との境界部を覆う補助シート部とが一体に形成されていることにより、電柱、腕金、及び電柱と腕金との境界部を複数枚の絶縁シートで覆う必要はなく、電柱、腕金、及び電柱と腕金との境界部を絶縁シートで覆う作業を容易に、短時間で、効率良く行うことができる。また、絶縁シートは、固定具に取り付けられた状態で固定具を電柱に取り付けることにより、電柱に取り付けることができるので、絶縁シートと電柱に取り付ける作業と、固定具を電柱に取り付ける作業とを個別に行う必要はなく、絶縁シートを電柱、腕金、電柱と腕金との境界部を覆うように取り付ける作業を効率良く行うことができる。
【図面の簡単な説明】
【００２６】
【図１】本発明による絶縁シートの一実施の形態を示した裏面側から見た展開図である。
【図２】絶縁シートを固定具に取り付けた状態を示した説明図である。
【図３】固定具の要部の説明図である。
【図４】絶縁シートを電柱及び腕金に取り付けた状態を示した説明図である。
【発明を実施するための形態】
【００２７】
以下、図面を参照しながら本発明の実施の形態について説明する。
図１〜図４には、本発明による絶縁シートの一実施の形態が示されている。本実施の形態の絶縁シート２５は、架空配電線において、間接活線工法により各種の作業を行う場合に、縁線や作業者が誤って電柱、腕金、配電線等の絶縁対象物と接触して、地絡、短絡、感電等の不測の事故が起きるのを防止するために、絶縁対象物を覆って絶縁するのに有効なものである。
なお、本実施の形態にいては、絶縁対象物を電柱３５及び腕金３６、３７とし、電柱３５及び腕金３６、３７を覆って絶縁するのに適用している。
【００２８】
本実施の形態の絶縁シート２５は、絶縁材から形成されるものであって、図１に示すように、電柱３５を覆うための長方形状の主シート部２６と、主シート部２６の各長辺に沿うようにそれぞれ設けられる、腕金３６、３７を覆うための長方形状の一対の副シート部２８、２９と、主シート部２６の裏面側の各長辺２６ａ、２６ｂに沿う部分にそれぞれ設けられ、電柱３５と腕金３６、３７との境界部を覆うための長方形状の一対の補助シート部３０、３１とを備えている。なお、図３は、絶縁シート２５を裏面側から見た展開図である。
【００２９】
主シート部２６の図中上側の短辺２６ｃに沿う部分には、後述する固定具１の把持部１１を挿通させるスリット２７が設けられている。
【００３０】
各副シート部２８、２９は、主シート部２６よりも全長が短い長方形状をなすものであって、図中下側の短辺２８ｄ、２９ｄが主シート部２６の図中下側の短辺２６ｄの延長線上に位置するように、主シート部２６の各長辺２６ａ、２６ｂに沿ってそれぞれ設けられている。
【００３１】
各副シート部２８、２９は、一方の長辺２８ａ、２９ａの図中上側の太線で示す部分（一方の長辺２８ａ、２９ａの全長の約１／４程度）が主シート部２６の各長辺２６ａ、２６ｂに一体に接合され、それよりも図中下側の部分は主シート部２６の各長辺２６ａ、２６ｂに対して分離した状態となっている。
【００３２】
各補助シート部３０、３１は、副シート部２８、２９よりも全長が短い長方形状をなすものであって、図中上側の短辺３０ｃ、３１ｃが各副シート部２８、２９の図中上側の短辺２８ｃ、２９ｃの延長線上に位置するように、主シート部２６の各長辺２６ａ、２６ｂに沿ってそれぞれ設けられている。
【００３３】
各補助シート部３０、３１は、図中左側の長辺３０ａ及び右側の長辺３１ａが主シート部２６の各長辺２６ａ、２６ｂと重合した状態で、図中上側の短辺３０ｃ、３１ｃに沿う部分（図中ハッチングで示す部分）が主シート部２６の裏面側に一体に接合され、その他の部分が主シート部２６の裏面に対して分離した状態となっている。各補助シート部３０、３１は、接合部３３ａ、３３ｂ側の折り曲げ線３４ａ、３４ｂを基準として、図中矢印方向に折り曲げ可能に構成されている。
【００３４】
主シート部２６の裏面側の図中上方の短辺２６ｃに沿う部分には、取付部材としての面ファスナー２０のフック又はループからなる帯状の第２部材２０ｂが短辺２６ｃの全長に沿うように一体に接合され、この面ファスナー２０の第２部材２０ｂと後述する固定具１の外面側の取付部材としての面ファスナー２０の第１部材２０ａとが相互に着脱可能に接合される。
【００３５】
各副シート部２８、２９の図中上側の短辺２８ｃ、２９ｃに沿う表面側の部分には、面ファスナー２１、２２のループ又はフックからなる帯状の第１部材２１ａ、２２ａが短辺２８ｃ、２９ｃの全長に沿うように一体に接合され、各副シート部２８、２９の図中下側の短辺２８ｄ、２９ｄに沿う裏面側の部分には、面ファスナー２１、２２のフック又はループからなる帯状の第２部材２１ｂ、２２ｂが短辺２８ｄ、２９ｄの全長に沿うように一体に接合されている。
各副シート部２８、２９は、接合部３２ａ、３２ｂ側の短辺２８ｃ、２９ｃに対して図中下側の短辺２８ｄ、２９ｄを図中矢印方向に丸めて、短辺２８ｃ、２９ｃに沿う面ファスナー２１、２２の第１部材２１ａ、２２ａと、短辺２８ｄ、２９ｄに沿う面ファスナー２１、２２の第２部材２１ｂ、２２ｂとを相互に接合させることにより、丸めた状態に保持される。
【００３６】
上記のような構成の絶縁シート２５は、後述する固定具１に取り付けられた状態で電柱３５及び腕金３６、３７を覆った状態に取り付けられる。
【００３７】
固定具１は、図２及び図３に示すように、開閉可能に設けられる一対のアーム２、５と、両アーム２、５を開閉可能に支持する支持部材７と、両アーム２、５を閉じる方向に常時付勢する付勢部材（図示せず）と、支持部材７に設けられる把持部１１と、各アーム２、５の複数箇所に回転可能に設けられる案内部材１６とを備えている。
【００３８】
両アーム（以下、第１アーム２、第２アーム５という。）は、略半円筒状をなすものであって、両アーム２、５の一端部が連結部材１２を介して支持部材７に連結され、連結部材１２を中心として両アーム２、５の他端間が開閉可能に構成されている。
【００３９】
第１アーム２の一端の上下には、図３に示すように、一対の板状の突部３、４が間隔をおいて一体に設けられている。各突部３、４の中心には、それぞれピン挿通孔３ａ、４ａが貫通した状態で設けられている。第１アーム２の他端は、図２に示すように、所定の角度で外方に屈曲されている。
【００４０】
第２アーム５の一端の厚さ方向の中央には、図３に示すように、一つの板状の突部６が一体に設けられている。突部６の中心には、ピン挿通孔６ａが貫通した状態で設けられている。第２アーム５の他端は、図２に示すように、第１アーム２と同一角度で外方に屈曲されている。
【００４１】
支持部材７は、図２及び図３に示すように、平板状の上板８と、平板状の下板９と、上板８と下板９の一端間を連結する平板状の側板１０とからなるコ字形状をなすものであって、上板８及び下板９の中央には、それぞれピン挿通孔８ａ、９ａが貫通した状態で設けられ、この支持部材７の内面側に第１アーム２及び第２アーム５の一端部が挿入される。
【００４２】
支持部材７の内面側に第１アーム２及び第２アーム５の一端部を挿入し、第１アーム２の突部３、４間に第２アームの突部６を挟んだ状態で、支持部材７の上板８のピン挿通孔８ａ、第１アーム２の上側の突部３のピン挿通孔３ａ、第２アーム５の突部６のピン挿通孔６ａ、第１アーム２の下側の突部４のピン挿通孔４ａ、及び支持部材７の下板９のピン挿通孔９ａ内に連結部材としての連結ピン１２を挿通させ、連結ピン１２の上下端部を上板８及び下板９に固定することにより、両アーム２、５の一端部が支持部材７に連結ピン１２を介して回動自在に連結され、両アーム２、５の他端部間が連結ピン１２を中心として開閉可能に構成される。
【００４３】
連結ピン１２としては、例えば、両端部にねじが設けられたもの、六角ボルト状のもの等が用いられ、連結ピン１２のねじの部分にナットを締め付けることにより、連結ピン１２の上下端部が支持部材７の上板８及び下板９に固定される。
【００４４】
連結ピン１２と第１アーム２及び第２アーム５との間には、付勢部材としてのトーションコイルばね（図示せず）が装着され、このトーションコイルばねの付勢力により、両アーム２、５の他端部間が閉じる方向に常時付勢される。
なお、付勢部材としては、トーションコイルばねに限らず、両アーム２、５の他端部間を閉じる方向に常時付勢することができる機能を有するものであればよい。
【００４５】
支持部材７の側板１０の中央には、板状の把持部１１が外方に突出した状態で一体に設けられ、この把持部１１を絶縁ヤットコ等の間接活線工具（図示せず）で把持することで、固定具１を支持することができる。
なお、把持部１１は、板状に限らず、中実又は中空の棒状のものをコ状に屈曲させて、その両端を側板１０に連結するように構成してもよい。要は、絶縁ヤット等の間接活線工具を把持できる形状であればよい。
【００４６】
第１アーム２及び第２アーム５の複数箇所には、案内部材１６が設けられている。案内部材１６は、円柱状のローラー１７と、ローラー１７を回転自在に支持する支持軸１８とから構成されている。案内部材１６は、ローラー１７（又は支持軸１６）の軸線が垂直方向を向くように、上下端が第１アーム２及び第２アーム５の上下面に固定されている。案内部材１６は、ローラー１７の周面の一部が第１アーム２及び第２アーム５の内面から内方に所定量突出するように、第１アーム２及び第２アーム５への取付位置が設定されている。
なお、本実施の形態においては、第１アーム２及び第２アーム５の内面のうち、外方に屈曲されている部分に１箇所、湾曲状に形成された部分に４箇所、及び外方に屈曲された部分と湾曲状に形成された部分との境界部に１箇所、合計６箇所に案内部材１６をそれぞれ設けて、両アーム２、５の内面側に電柱３５を押し込む際の抵抗を軽減させているが、これに限定することなく、両アーム２、５の内面側の５箇所以下、７箇所以上に案内部材１６を設けるように構成してもよい。
なお、外方に屈曲されている部分、及び外方に屈曲された部分と湾曲状に形成された部分との境界部は、両アーム２、５の内面側に電柱３５を押し込む際に、両アーム２、５が最初に電柱３５に接触する部分、及び２番目に電柱３５に接触する部分となるので、少なくとも１箇所に案内部材１６を設ける必要がある。
【００４７】
第１アーム２及び第２アーム５の外面側には、第１アーム２及び第２アーム５の全長に亘るように面ファスナー２０のループ又はフックからなる帯状の第１部材２０ａが一体に接合され、この面ファスナー２０の第１部材２０ａと前述した絶縁シート２５の主シート部２６の面ファスナー２０のフック又はループとかなる帯状の第２部材２０ｂとが相互に着脱可能に接合される。
【００４８】
そして、上記のような構成の絶縁シート２５を用いて電柱３５及び腕金３６、３７を覆うには、まず、図２に示すように、固定具１の第１アーム２及び第２アーム５の外面側の面ファスナー２０の第１部材２０ａと絶縁シート２５の主シート部２６の裏面側の面ファスナー２０の第２部材２０ｂとを、相互に接合させることにより、絶縁シート２５を固定金具１の両アーム２、５の外面側に、主シート部２６を両アーム２、５の外面に沿って丸めた状態に、かつ吊り下げた状態に取り付ける。この際、固定金具１の把持部１１を絶縁シート２５の主シート部２６のスリット２７を挿通させることにより、絶縁シート２５の主シート部２６の表面側に固定金具１の把持部１１を突出させる。
【００４９】
次に、作業者が各種の作業を行う電柱３５の前面側に配置した高所作業車内において、図４に示すように、固定具１の把持部１１を絶縁ヤットコ等の間接活線工具で掴み、間接活線工具を操作することにより固定具１を電柱３５の方向に送り出し、固定具１の両アーム２、５の他端部間に電柱３５を押し付け、固定具１を電柱３５の方向に押し込むことにより、固定具１の両アーム２、５の他端部間をトーションコイルばね１５の付勢力に抗して押し広げ、固定具１の両アーム２、５間に電柱３５を押し込む。
【００５０】
これより、固定具１の両アーム２、５がトーションコイルばね１５の付勢力によって電柱３５の表面に押し付けられ、固定具１が両アーム２、５で電柱３５を挟んだ状態に取り付けられ、固定具１に吊り下げられた絶縁シート２５の主シート部２６が、両アーム２、５の曲率と略同一に丸められた状態で、電柱３５の周囲の一部（電柱３５の前面側の部分、及び両側面側の部分）に巻き付けられる。
【００５１】
次に、各補助シート部３０、３１を、折り曲げ線３４ａ、３４ｂにおいて図１の矢印方向に折り曲げ、各補助シート部３０、３１を各腕金３６、３７の上面に沿って延ばす。次に、各副シート部２８、２９を、図１に示すように、短辺２８ｃ、２９ｃに対して短辺２８ｄ、２９ｄを各腕金３６、３７の周囲を囲むように丸め、各副シート部２８、２９の短辺２８ｃ、２９ｃ側の面ファスナー２１、２２の第１部材２１ａ、２２ａと短辺２８ｄ、２９ｄ側の面ファスナー２１、２２の第２部材１ｂ、２２ｂとを相互に接合させ、各副シート部２８、２９を丸めた状態に保持する。
【００５２】
これにより、絶縁シート２５の主シート部２６によって電柱３５の前面側の部分、及び両側面側の部分を覆うことができ、各副シート部２８、２９によって各腕金３６、３７の周囲を覆うことができ、各補助シート部３０、３１によって電柱３５と各腕金３６、３７との境界部の上面側の部分を覆うことができる。また、固定具１により、主シート部２６を電柱３５の前面側の部分及び両側面側の部分を覆った状態に固定でき、各副シート部２８、２９を各腕金３６、３７の周囲を覆った状態に固定することができ、各補助シート部３０、３１を電柱３５と各腕金３６、３７との境界部の上面側を覆った状態に固定することができる。
【００５３】
上記のように構成した本実施の形態の絶縁シート２５にあっては、主シート部２６と一対の副シート部２８、２９と一対の補助シート部３０、３１とによって構成して、主シート部２６で電柱３５の前面側の部分及び両側面側の部分を覆い、各副シート部２８、２９で各腕金３６、３７の周囲を多い、各補助シート部３０、３１で電柱３５と各腕金３６、３７との境界部の上面側の部分を覆うように構成したので、電柱３５及び腕金３６、３７を覆う作業を容易に、短時間で行うことができる。
【００５４】
また、主シート部２６は、固定具１の両アーム２、５の曲率と略同一に丸められた状態で電柱３５の前面側の部分及び両側面側の部分に巻き付けられているので、風等が作用しても主シート部２６が捲り上がるようなことはなく、電柱３５の前面側の部分及び両側面側の部分を確実に覆うことができる。
【００５５】
また、電柱３５の前面側から間接活線工具を操作することにより、固定具１を電柱３５に取り付けることができるとともに、固定金具１に取り付けた絶縁シート３５を、主シート部２６で電柱３５の前面側の部分及び両側面側の部分を覆い、各副シート部２８、２９で各腕金３６、３７の周囲を覆い、各補助シート部３０、３１で電柱３５と各腕金３６、３７との境界部の上面側を覆うように、取り付けることができる。
【００５６】
従って、電柱３５の前面側のみからの作業で絶縁シート３５を電柱３５及び各腕金３６、３７を覆った状態に取り付けることができるので、絶縁シート３５を電柱３５及び各腕金３６、３７を覆った状態に取り付ける作業を効率良く行うことができる。
【００５７】
なお、本実施の形態の絶縁シート２５の主シート部２６の幅、及び長さ、副シート部２８、２９の幅、及び長さ、補助シート部３０、３１の幅及び長さを適宜の寸法に設定することにより、寸法の異なる各種の電柱３５、腕金３６、３７を覆って絶縁するのに適用することができる。
【００５８】
また、上記の説明においては、両アーム２、５の外面側に絶縁シート２５を取り付ける取付部材に面ファスナー２０を用いたが、面ファスナー２０に限らず、絶縁シート２５を取り付けることができる機能を有するものであればよい。
【符号の説明】
【００５９】
１  固定具
２  第１アーム
３  突部
３ａ  ピン挿通孔
４  突部
４ａ  ピン挿通孔
５  第２アーム
６  突部
６ａ  ピン挿通孔
７  支持部材
８  上板
８ａ  ピン挿通孔
９  下板
９ａ  ピン挿通孔
１０  側板
１１  把持部
１２  連結部材（連結ピン）
１６  案内部材
１７  ローラー
１８  支持軸
２０、２１、２２  面ファスナー
２０ａ、２１ａ、２２ａ  第１部材
２０ｂ、２１ｂ、２２ｂ  第２部材
２５  絶縁シート
２６  主シート部
２６ａ、２６ｂ  長辺
２６ｃ、２６ｄ  短辺
２７  スリット
２８、２９  副シート部
２８ａ、２９ａ  長辺
２８ｃ、２８ｄ、２９ｃ、２９ｄ  短辺
３０、３１  補助シート部
３０ａ、３１ａ  長辺
３０ｃ、３１ｃ  短辺
３２ａ、３２ｂ、３３ａ、３３ｂ  接合部
３４ａ、３４ｂ  折り曲げ線
３５  電柱
３６、３７  腕金
【図１】
2015015858.tif 000003
【図２】
2015015858.tif 000004
【図３】
2015015858.tif 000005
【図４】
2015015858.tif 000006